(57)【要約】【課題】注目する端末のログを出力し、注目する端末が装置間を移動しても、注目する端末のログを途切れることがなく出力し、かつ、無駄なログ出力を防ぐ。【解決手段】本発明は、注目する移動端末の固有識別子（例えば、ＩＭＳＩ）を外部装置から入力する手段を設ける。また基地局制御装置に外部装置から入力された注目する移動端末の固有識別子を管理させ、注目する移動端末のログを出力させる。また、注目する移動端末の固有識別子を移動先の基地局制御装置にも発行し、注目する移動端末が無線基地局間、または基地局制御装置間を移動しても、ログ出力を継続させる。また、無駄なログ出力を防ぐために、注目する移動端末の無線基地局間、または基地局制御装置間の移動を契機に、ログ出力を終了させる。【選択図】図３
2011119897.tif 000002
【特許請求の範囲】
【請求項１】
所望のログ出力対象の端末に関するログを収集する無線通信システムであって、
端末と無線で通信する第１及び第２基地局と、
前記第１及び第２基地局を制御する基地局制御装置と、
ログ出力対象の端末について、端末固有に割り当てられる識別子を指定するログ収集サーバと
を備え、
前記基地局制御装置は、
ログ出力対象の端末についての前記識別子が記憶されるログ出力対象格納領域と、
前記識別子を含む呼情報が記憶される呼情報格納領域と、
ログ出力対象の端末に関するログが記憶されるログ格納領域と、
処理部と
を有し、
前記処理部は、
ログ出力対象の端末についての前記識別子をログ収集サーバから受信して、前記ログ出力対象格納領域に記憶し、
端末から前記第１基地局を介して呼接続要求があると認証装置に端末認証を要求し、該要求に対して前記認証装置から前記識別子を受信して、前記呼情報格納領域に記憶し、
前記ログ出力対象格納領域に記憶された識別子と、前記呼情報格納領域に記憶された識別子を比較し、一致する場合に、該識別子が示す端末に関するログを前記ログ格納領域に記憶するログ出力処理を開始し、
前記第１基地局に、前記端末に関するログのログ出力開始指示を送信し、
前記端末が前記第１基地局から前記第２基地局にハンドオフすると、前記第２基地局に前記端末に関するログのログ出力開始指示を送信する前記無線通信システム。
【請求項２】
前記第１及び第２基地局はそれぞれ、自基地局における端末に関するログが記憶される第２ログ格納領域を有し、
前記第１及び第２基地局は、ログ出力開始指示を受信すると、自基地局における前記端末に関するログを前記第２ログ格納領域に記憶する第２ログ出力処理を開始する請求項１に記載の無線通信システム。
【請求項３】
前記基地局制御装置の前記処理部は、端末が前記第１基地局から前記第２基地局にハンドオフすると、前記第１基地局に前記端末に関するログのログ出力終了指示を送信する請求項２に記載の無線通信システム。
【請求項４】
前記基地局制御装置の前記処理部は、端末との呼若しくはセッションが開放されると、又は、ログ出力終了指示を前記ログ収集サーバから受信すると、前記ログ格納領域に記憶されたログを前記ログ収集サーバに送信し、前記第２基地局へログ出力終了指示を送信し、
前記第１及び第２基地局は、前記基地局制御装置からログ出力終了指示を受信すると、前記第２ログ格納領域に記憶されたログを前記ログ収集サーバに送信する請求項３に記載の無線通信システム。
【請求項５】
所望の端末に関するログを収集する無線通信システムであって、
端末と無線で通信する第１及び第２基地局と、
前記第１基地局を制御する第１基地局制御装置と、
前記第２基地局を制御する第２基地局制御装置と、
ログ出力対象の端末について、端末固有に割り当てられる識別子を指定するログ収集サーバと
を備え、
前記第１基地局制御装置は、
ログ出力対象の端末についての前記識別子が記憶される第１ログ出力対象格納領域と、
前記識別子を含む呼情報が記憶される第１呼情報格納領域と、
ログ出力対象の端末に関する第１基地局制御装置におけるログが記憶される第１ログ格納領域と、
第１処理部と
を有し、
前記第２基地局制御装置は、
ログ出力対象の端末についての前記識別子が記憶される第２ログ出力対象格納領域と、
前記識別子を含む呼情報が記憶される第２呼情報格納領域と、
ログ出力対象の端末に関する第２基地局制御装置におけるログが記憶される第２ログ格納領域と、
第２処理部と
を有し、
前記第１基地局制御装置の前記第１処理部は、ログ出力対象の端末についての前記識別子を前記ログ収集サーバから受信して、前記第１ログ出力対象格納領域に記憶し、
前記第２基地局制御装置の前記第２処理部は、前記識別子を前記ログ収集サーバから受信して、第２ログ出力対象格納領域に記憶し、
前記第１基地局制御装置の前記第１処理部は、端末から前記第１基地局を介して呼接続要求があると認証装置に端末認証を要求し、該要求に対して前記認証装置から前記識別子を受信して、前記第１呼情報格納領域に記憶し、
前記第１基地局制御装置の前記第１処理部は、前記第１ログ出力対象格納領域に記憶された前記識別子と、前記第１呼情報格納領域に記憶された前記識別子を比較し、一致する場合に、該識別子が示す端末に関する第１基地局制御装置におけるログを前記第１ログ格納領域に記憶する第１ログ出力処理を開始し、
端末が前記第１基地局制御装置配下の前記第１基地局から前記第２基地局制御装置配下の前記第２基地局にハンドオフすると、前記第１基地局制御装置の前記第１処理部は、前記第１呼情報格納領域に記憶された前記識別子を前記第２基地局制御装置に送信し、
前記第２基地局制御装置の前記第２処理部は、前記第１基地局制御装置からの前記識別子を受信して、前記第２呼情報格納領域に記憶し、
前記第２基地局制御装置の前記第２処理部は、前記第２ログ出力対象格納領域に記憶された前記識別子と、前記第２呼情報格納領域に記憶された前記識別子を比較し、一致する場合に、該識別子が示す端末に関する前記第２基地局制御装置におけるログを前記第２ログ格納領域に記憶する第２ログ出力処理を開始する前記無線通信システム。
【請求項６】
前記第１基地局制御装置の前記第１処理部は、端末が前記第１基地局制御装置配下の前記第１基地局から前記第２基地局制御装置配下の前記第２基地局にハンドオフすると、第１ログ出力処理を終了し、前記第１ログ格納領域に記憶されたログを前記ログ収集サーバに送信し、
前記第２基地局制御装置の前記第２処理部は、端末との呼若しくはセッションが開放されると、又は、ログ出力終了指示を前記ログ収集サーバから受信すると、前記第２ログ格納領域に記憶されたログを前記ログ収集サーバに送信する請求項５に記載の無線通信システム。
【請求項７】
前記第１基地局制御装置の前記第１処理部は、前記第１ログ出力対象格納領域に記憶された識別子と、前記第１呼情報格納領域に記憶された識別子が一致する場合に、前記第１基地局に前記端末に関するログのログ出力開始指示を送信し、
前記第２基地局制御装置の前記第２処理部は、前記第２ログ出力対象格納領域に記憶された識別子と、前記第２呼情報格納領域に記憶された識別子が一致する場合に、前記第２基地局に前記端末に関するログのログ出力開始指示を送信する請求項５に記載の無線通信システム。
【請求項８】
前記第１基地局制御装の前記第１処理部は、端末が前記第１基地局制御装置配下の前記第１基地局から前記第２基地局制御装置配下の前記第２基地局にハンドオフすると、前記第１基地局へログ出力終了指示を送信する請求項７に記載の無線通信システム。
【請求項９】
前記識別子は、ＩＭＳＩ（Ｉｎｔｅｒｎａｔｉｏｎａｌ  Ｍｏｂｉｌｅ  Ｓｔａｔｉｏｎ  Ｉｄｅｎｔｉｆｉｅｒ）である請求項１又は５に記載の無線通信システム。
【請求項１０】
複数の基地局と基地局制御装置とを備えた無線ネットワークにおいて所望のログ出力対象の端末に関するログを収集するためのログ収集方法であって、
前記基地局制御装置は、
ログ出力対象の端末について、端末固有に割り当てられる識別子をログ収集サーバから受信して、ログ出力対象格納領域に記憶し、
端末から第１基地局を介して呼接続要求があると認証装置に端末認証を要求し、該要求に対して認証装置から前記識別子を受信して、呼情報格納領域に記憶し、
ログ出力対象格納領域に記憶された前記識別子と、呼情報格納領域に記憶された前記識別子を比較し、一致する場合に、該識別子が示す端末に関するログをログ格納領域に記憶するログ出力処理を開始し、
第１基地局に、前記端末に関するログのログ出力開始指示を送信し、
端末が第１基地局から第２基地局にハンドオフすると、第２基地局に前記端末に関するログのログ出力開始指示を送信する前記ログ収集方法。
【請求項１１】
複数の基地局と複数の基地局制御装置とを備えた無線ネットワークにおいて所望のログ出力対象の端末に関するログを収集するためのログ収集方法であって、
第１基地局制御装置は、ログ出力対象の端末についての前記識別子をログ収集サーバから受信して、第１ログ出力対象格納領域に記憶し、
第２基地局制御装置は、前記識別子をログ収集サーバから受信して、第２ログ出力対象格納領域に記憶し、
第１基地局制御装置は、端末から第１基地局を介して呼接続要求があると認証装置に端末認証を要求し、該要求に対して認証装置から前記識別子を受信して、第１呼情報格納領域に記憶し、
第１基地局制御装置は、第１ログ出力対象格納領域に記憶された前記識別子と、第１呼情報格納領域に記憶された前記識別子を比較し、一致する場合に、該識別子が示す端末に関する第１基地局制御装置におけるログを第１ログ格納領域に記憶する第１ログ出力処理を開始し、
端末が第１基地局制御装置配下の第１基地局から第２基地局制御装置配下の第２基地局にハンドオフすると、第１基地局制御装置は、第１呼情報格納領域に記憶された前記識別子を第２基地局制御装置に送信し、
第２基地局制御装置は、第１基地局制御装置からの前記識別子を受信して、第２呼情報格納領域に記憶し、
第２基地局制御装置は、第２ログ出力対象格納領域に記憶された前記識別子と、第２呼情報格納領域に記憶された前記識別子を比較し、一致する場合に、該識別子が示す端末に関する第２基地局制御装置におけるログを第２ログ格納領域に記憶する第２ログ出力処理を開始する前記ログ収集方法。
【発明の詳細な説明】
【技術分野】
【０００１】
本発明は、無線通信システム及びログ収集方式に係り、特に、移動端末が無線基地局や基地局制御装置のサービスエリアを跨いで移動しても、事前に指定した移動端末に関する無線基地局や基地局制御装置の動作ログを収集し続けることが出来る無線通信システム及びログ収集方式に関する。
【背景技術】
【０００２】
データ通信専用に特化した移動体無線通信方式であるｃｄｍａ２０００  １ｘＥＶ−ＤＯ（１ｘＥｖｏｌｕｔｉｏｎ−Ｄａｔａ  Ｏｎｌｙ）は、国際標準化機関である３ＧＰＰ２（３ｒｄ  Ｇｅｎｅｒａｔｉｏｎ  Ｐａｒｔｎｅｒｓｈｉｐ  Ｐｒｏｊｅｃｔ  ２）において、非特許文献１として規格化されていて、データ通信に特化することにより周波数利用効率を向上させている。
図１にｃｄｍａ２０００  １ｘＥＶ−ＤＯシステムの典型的なシステム構成例を示す。１１０１はＩＰネットワーク、１１０２はＩｎｔｅｒｎｅｔ側からのパケットの終端を行うＰＤＳＮ（Ｐａｃｋｅｔ  Ｄａｔａ  Ｓｅｒｖｉｃｅ  Ｎｏｄｅ）、１１０３は呼情報管理やＢＴＳ１１０５及びＰＤＳＮ１１０２から受信するパケットの中継を行うＢＳＣＤＯ（Ｂａｓｅ  Ｓｔａｔｉｏｎ  Ｃｏｎｔｒｏｌｌｅｒ  −  Ｄａｔａ  Ｏｎｌｙ、基地局制御装置）、１１０５はＡＴ１１１０とＲＡＮ１１１１間の無線パケット、シグナリングの中継を行うＢＴＳ（Ｂａｓｅ  ｓｔａｔｉｏｎ  Ｔｒａｎｓｃｅｉｖｅｒ  Ｓｕｂｓｙｓｔｅｍ、無線基地局）、１１０９はＡＴ１１１０の認証を行うＡＮ−ＡＡＡ（Ａｃｃｅｓｓ  Ｎｅｔｗｏｒｋ−Ａｕｔｈｅｎｔｉｃａｔｉｏｎ  Ａｕｔｈｏｒｉｚａｔｉｏｎ  Ａｃｃｏｕｎｔｉｎｇ、認証装置）、１１１０は移動端末であるＡＴ（Ａｃｃｅｓｓ  Ｔｅｒｍｉｎａｌ）である。
【０００３】
次に、図２にｃｄｍａ２０００  １ｘＥＶ−ＤＯシステムでの一般的な呼接続処理例を示す。
ｃｄｍａ２０００  １ｘＥＶ−ＤＯシステムでは、ｓｔｅｐ：ａ２０１にてＡＴ１１１０が呼接続を開始する際に、ランダムな識別子であるＲＡＴＩ（Ｒａｎｄｕｍ  Ａｃｃｅｓｓ  Ｔｅｒｍｉｎａｌ  Ｉｎｄｅｎｔｉｆｉｅｒ）を用いて接続を行う。ＲＡＴＩはランダムで割り振られるため、ＢＳＣＤＯ１  １１０３はＡＴ１１１０をユニークに特定できない。このため、ＢＳＣＤＯ１  １１０３はＲＡＴＩを用いて接続を開始したＡＴ１１１０に対し、ｓｔｅｐ：ｂ２０２にてＡＴ１１１０をユニークに識別するための簡易識別子としてＵＡＴＩ（Ｕｎｉｑｕｅ  Ａｃｃｅｓｓ  Ｔｅｒｍｉｎａｌ  Ｉｎｄｅｎｔｉｆｉｅｒ）を割当てる。また、ＵＡＴＩはＲＡＮ(Ｒａｄｉｏ  Ａｃｃｅｓｓ  Ｎｅｔｗｏｒｋ)１１１１のみで使用される識別子であり、後述するｓｔｅｐ：ｆ２０６にてＰＤＳＮ１１０２へのアクセスはＩＭＳＩ（Ｉｎｔｅｒｎａｔｉｏｎａｌ  Ｍｏｂｉｌｅ  Ｓｔａｔｉｏｎ  Ｉｄｅｎｔｉｆｉｅｒ）を使用する。ＩＭＳＩは課金対象となるＡＴ１１０を識別するために端末固有に割当てられる識別子であり、ＢＳＣＤＯ１  １１０３が移動端末から接続要求を受信した際に、ｓｔｅｐ：ｄ２０４にてＡＮ−ＡＡＡ１１０９に端末認証要求を行い、ｓｔｅｐ：ｅ２０５にて端末認証応答と一緒にＡＮ−ＡＡＡ１１０９から取得する。またｓｔｅｐ：ｈ２０８にてＵＡＴＩとＩＭＳＩはＢＳＣＤＯ１  １１０３にて呼情報として管理される。
また、一般的な機能として、無線基地局であるＢＴＳ１−１  １１０５、基地局制御をおこなうＢＳＣＤＯ１  １１０３では、移動端末の呼接続制御、移動端末がＢＴＳ間またはＢＳＣＤＯ間を移動するハンドオフ制御など、移動端末の動作による各装置内での処理を把握するためにログ出力機能を有する。このログ出力機能は移動端末の処理動作だけでなく、ＲＡＮシステム保守者は、運用中に問題が発生したと思われる装置にてログを収集し、問題の発生状況を確認し、問題の解決方法の材料にする。また、ＲＡＮシステム設計者は装置が稼働している現地の状況を把握し、次期開発の性能の目安にするなど、ＲＡＮシステムを構築する上で非常に重要な機能である。
【先行技術文献】
【特許文献】
【０００４】
【特許文献１】特開２００９−１６４８８２号公報
【非特許文献】
【０００５】
【非特許文献１】”ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ”、３ＧＰＰ２  Ｃ．Ｓ００２４−Ａ  Ｖｅｒｓｉｏｎ  ３．０、Ｓｅｐｔｅｍｂｅｒ  ２００６
【発明の概要】
【発明が解決しようとする課題】
【０００６】
これまでの装置では、一般的なログ出力単位は、ＢＴＳ／ＢＳＣＤＯ装置単位や、装置内の機能毎であるのが普通であった。よって、動作を確認したい移動端末がハンドオフを実施し、ＢＴＳ／ＢＳＣＤＯ間を移動した場合、移動先のＢＴＳ／ＢＳＣＤＯでログを出力していなければ、注目する移動端末に対するログ出力が途切れてしまうという課題があった。
よって、注目する移動端末がハンドオフしても基地局側でログ出力を継続させるためには、予め全無線基地局、全基地局制御装置でログを出力しておく必要がある。しかし、注目する移動端末がハンドオフしなかった場合は、注目する移動端末の接続がなかった他の無線基地局、他の基地局制御装置で無駄にログを出力することになり、ログ用のメモリを無駄に使用することになる。また、もし全無線基地局、全基地局制御装置でログを出力した場合は、注目する移動端末に対する処理ログを、全無線基地局、全基地局制御装置で出力したログから抽出し、時間軸上に沿って並べ直す必要があり、無駄に時間を費やしていた。
本発明は、以上の点に鑑み、無線基地局、基地局制御装置において、注目する移動端末のログを出力させ、移動端末が基地局装置間、基地局制御装置間を移動しても、移動先の装置において注目する移動端末のログが途切れることがなく出力させることを目的とする。
また、本発明は、システムの各装置で注目する移動端末が接続した契機でログ出力を開始するため、各装置のメモリを余計に使用することを防ぐことを目的とする。
【課題を解決するための手段】
【０００７】
本発明は、注目する移動端末の固有識別子を外部装置から入力する手段を設ける。また基地局制御装置に外部装置から入力された注目する移動端末の固有識別子を管理させ、注目する移動端末の接続があった場合に、基地局制御装置は接続した移動端末が注目する移動端末であることを判断し、注目する移動端末のログを出力させる。さらに基地局制御装置では移動端末の固有識別子と無線基地局の呼識別子を関連づけて管理し、基地局制御装置は注目する移動端末のログ出力開始と同時に無線基地局へ注目する移動端末のログ出力開始を指示する。また、注目する移動端末が無線基地局間、または基地局制御装置間を移動しても、注目する移動端末の固有識別子を移動先の基地局制御装置にも発行し、さらに移動先の基地局制御装置でも移動端末の固有識別子と移動先の無線基地局の呼識別子を関連づけて管理しておくことで、移動先の無線基地局、または基地局制御装置でログ出力を継続させる。また、無駄なログ出力を防ぐために、注目する移動端末の無線基地局間、または基地局制御装置間の移動を契機に、移動元の無線基地局、または基地局制御装置のログ出力を終了させる。
特許文献１に開示された技術として、移動端末のアクセスが失敗したアクセスポイントでログを出力し、管理サーバへ送信するという技術があるが、本発明は、例えば、一時的なログ出力ではなく、移動端末のログを常に出力し、さらに装置間を移動してもログを出力・収集し続けることができる点で、特許文献１に開示された技術と異なる。
【０００８】
本発明の第１の解決手段によると、
所望のログ出力対象の端末に関するログを収集する無線通信システムであって、
端末と無線で通信する第１及び第２基地局と、
前記第１及び第２基地局を制御する基地局制御装置と、
ログ出力対象の端末について、端末固有に割り当てられる識別子を指定するログ収集サーバと
を備え、
前記基地局制御装置は、
ログ出力対象の端末についての前記識別子が記憶されるログ出力対象格納領域と、
前記識別子を含む呼情報が記憶される呼情報格納領域と、
ログ出力対象の端末に関するログが記憶されるログ格納領域と、
処理部と
を有し、
前記処理部は、
ログ出力対象の端末についての前記識別子をログ収集サーバから受信して、前記ログ出力対象格納領域に記憶し、
端末から前記第１基地局を介して呼接続要求があると認証装置に端末認証を要求し、該要求に対して前記認証装置から前記識別子を受信して、前記呼情報格納領域に記憶し、
前記ログ出力対象格納領域に記憶された識別子と、前記呼情報格納領域に記憶された識別子を比較し、一致する場合に、該識別子が示す端末に関するログを前記ログ格納領域に記憶するログ出力処理を開始し、
前記第１基地局に、前記端末に関するログのログ出力開始指示を送信し、
前記端末が前記第１基地局から前記第２基地局にハンドオフすると、前記第２基地局に前記端末に関するログのログ出力開始指示を送信する前記無線通信システムが提供される。
【０００９】
本発明の第２の解決手段によると、
所望の端末に関するログを収集する無線通信システムであって、
端末と無線で通信する第１及び第２基地局と、
前記第１基地局を制御する第１基地局制御装置と、
前記第２基地局を制御する第２基地局制御装置と、
ログ出力対象の端末について、端末固有に割り当てられる識別子を指定するログ収集サーバと
を備え、
前記第１基地局制御装置は、
ログ出力対象の端末についての前記識別子が記憶される第１ログ出力対象格納領域と、
前記識別子を含む呼情報が記憶される第１呼情報格納領域と、
ログ出力対象の端末に関する第１基地局制御装置におけるログが記憶される第１ログ格納領域と、
第１処理部と
を有し、
前記第２基地局制御装置は、
ログ出力対象の端末についての前記識別子が記憶される第２ログ出力対象格納領域と、
前記識別子を含む呼情報が記憶される第２呼情報格納領域と、
ログ出力対象の端末に関する第２基地局制御装置におけるログが記憶される第２ログ格納領域と、
第２処理部と
を有し、
前記第１基地局制御装置の前記第１処理部は、ログ出力対象の端末についての前記識別子を前記ログ収集サーバから受信して、前記第１ログ出力対象格納領域に記憶し、
前記第２基地局制御装置の前記第２処理部は、前記識別子を前記ログ収集サーバから受信して、第２ログ出力対象格納領域に記憶し、
前記第１基地局制御装置の前記第１処理部は、端末から前記第１基地局を介して呼接続要求があると認証装置に端末認証を要求し、該要求に対して前記認証装置から前記識別子を受信して、前記第１呼情報格納領域に記憶し、
前記第１基地局制御装置の前記第１処理部は、前記第１ログ出力対象格納領域に記憶された前記識別子と、前記第１呼情報格納領域に記憶された前記識別子を比較し、一致する場合に、該識別子が示す端末に関する第１基地局制御装置におけるログを前記第１ログ格納領域に記憶する第１ログ出力処理を開始し、
端末が前記第１基地局制御装置配下の前記第１基地局から前記第２基地局制御装置配下の前記第２基地局にハンドオフすると、前記第１基地局制御装置の前記第１処理部は、前記第１呼情報格納領域に記憶された前記識別子を前記第２基地局制御装置に送信し、
前記第２基地局制御装置の前記第２処理部は、前記第１基地局制御装置からの前記識別子を受信して、前記第２呼情報格納領域に記憶し、
前記第２基地局制御装置の前記第２処理部は、前記第２ログ出力対象格納領域に記憶された前記識別子と、前記第２呼情報格納領域に記憶された前記識別子を比較し、一致する場合に、該識別子が示す端末に関する前記第２基地局制御装置におけるログを前記第２ログ格納領域に記憶する第２ログ出力処理を開始する前記無線通信システムが提供される。
【００１０】
本発明の第３の解決手段によると、
複数の基地局と基地局制御装置とを備えた無線ネットワークにおいて所望のログ出力対象の端末に関するログを収集するためのログ収集方法であって、
前記基地局制御装置は、
ログ出力対象の端末について、端末固有に割り当てられる識別子をログ収集サーバから受信して、ログ出力対象格納領域に記憶し、
端末から第１基地局を介して呼接続要求があると認証装置に端末認証を要求し、該要求に対して認証装置から前記識別子を受信して、呼情報格納領域に記憶し、
ログ出力対象格納領域に記憶された前記識別子と、呼情報格納領域に記憶された前記識別子を比較し、一致する場合に、該識別子が示す端末に関するログをログ格納領域に記憶するログ出力処理を開始し、
第１基地局に、前記端末に関するログのログ出力開始指示を送信し、
端末が第１基地局から第２基地局にハンドオフすると、第２基地局に前記端末に関するログのログ出力開始指示を送信する前記ログ収集方法が提供される。
本発明の第４の解決手段によると、
複数の基地局と複数の基地局制御装置とを備えた無線ネットワークにおいて所望のログ出力対象の端末に関するログを収集するためのログ収集方法であって、
第１基地局制御装置は、ログ出力対象の端末についての前記識別子をログ収集サーバから受信して、第１ログ出力対象格納領域に記憶し、
第２基地局制御装置は、前記識別子をログ収集サーバから受信して、第２ログ出力対象格納領域に記憶し、
第１基地局制御装置は、端末から第１基地局を介して呼接続要求があると認証装置に端末認証を要求し、該要求に対して認証装置から前記識別子を受信して、第１呼情報格納領域に記憶し、
第１基地局制御装置は、第１ログ出力対象格納領域に記憶された前記識別子と、第１呼情報格納領域に記憶された前記識別子を比較し、一致する場合に、該識別子が示す端末に関する第１基地局制御装置におけるログを第１ログ格納領域に記憶する第１ログ出力処理を開始し、
端末が第１基地局制御装置配下の第１基地局から第２基地局制御装置配下の第２基地局にハンドオフすると、第１基地局制御装置は、第１呼情報格納領域に記憶された前記識別子を第２基地局制御装置に送信し、
第２基地局制御装置は、第１基地局制御装置からの前記識別子を受信して、第２呼情報格納領域に記憶し、
第２基地局制御装置は、第２ログ出力対象格納領域に記憶された前記識別子と、第２呼情報格納領域に記憶された前記識別子を比較し、一致する場合に、該識別子が示す端末に関する第２基地局制御装置におけるログを第２ログ格納領域に記憶する第２ログ出力処理を開始する前記ログ収集方法が提供される。
【発明の効果】
【００１１】
本発明によると、無線基地局、基地局制御装置において、注目する移動端末のログを出力させ、移動端末が基地局装置間、基地局制御装置間を移動しても、移動先の装置において注目する移動端末のログが途切れることがなく出力させることができる。
また、本発明によると、システムの各装置で注目する移動端末が接続した契機でログ出力を開始するため、各装置のメモリを余計に使用すること防ぐことができる。
【図面の簡単な説明】
【００１２】
【図１】ｃｄｍａ２０００  １ｘＥＶ−ＤＯのシステム概要図である。
【図２】ｃｄｍａ２０００  １ｘＥＶ−ＤＯの一般的な呼接続シーケンス図である。
【図３】ｃｄｍａ２０００  １ｘＥＶ−ＤＯのシステムにログ収集サーバを接続したシステム概要図である。
【図４】ログ収集サーバの装置構成図である。
【図５】ＢＳＣＤＯの装置構成図である。
【図６】ＢＴＳの装置構成図である。
【図７】ログ出力対象ＡＴがＲＡＮ内に存在しない場合のＩＭＳＩ設定シーケンス図である。
【図８】ログ出力対象ＩＭＳＩ設定後のＡＴ接続によるログ出力開始シーケンス図である。
【図９】本発明実施前、本発明実施後のログ出力を比較した図である。
【図１０】ログ出力対象ＡＴがＲＡＮ内に存在する場合のＩＭＳＩ設定シーケンス図である。
【図１１】ＡＴセッション解放によるログ出力終了シーケンス図である。
【図１２】ログ収集サーバ契機のログ出力終了シーケンス図である。
【図１３】ＢＴＳ間ハンドオフ時のログ出力継続シーケンス図である。
【図１４】ＢＳＣＤＯ間ハンドオフ時のログ出力継続シーケンス図である。
【図１５】ログ収集サーバ３０１のハードウェア概念図である。
【図１６】ＢＳＣＤＯ１０３のハードウェア概念図である。
【図１７】ＢＴＳ１０５のハードウェア概念図である。
【発明を実施するための最良の形態】
【００１３】
以下、本発明の実施の形態について図面を参照しながら詳細に説明する。なお、実質同一部位には、同じ参照番号を振り、説明は省略する。
図３は、本実施の形態のシステム概要図である。
本実施の形態において、図３に示すように、ｃｄｍａ２０００  １ｘＥＶ−ＤＯシステムに接続されているＩＰネットワーク１０１にログ収集サーバ３０１を接続する。
図４に、ログ収集サーバ３０１の詳細ブロック構成図を示す。ログ収集サーバ３０１はユーザ指示処理部４０１、装置指示処理部４０２及びログ収集サーバログ処理部４０３を有する。ユーザ指示処理部４０１は、ユーザクライアントＰＣ７０１とのインターフェイスを持ち、ユーザクライアントＰＣ７０１から入力される端末固有識別子であるＩＭＳＩを受信し、装置指示処理部４０２にＩＭＳＩを通知する。また、ユーザクライアントＰＣ７０１から入力されたログ出力終了指示を受信し、装置指示処理部４０２に通知する。また、ユーザクライアントＰＣ７０１から入力されるログ送信要求指示を受信し、ログ収集サーバログ処理部４０３のログ収集サーバログ格納領域４０４からログをユーザクライアントＰＣ７０１に送信する機能を有する。
装置指示処理部４０２は、各ＢＳＣＤＯ、各ＢＴＳとのインターフェイスを持ち、ユーザ指示処理部４０１から通知されたＩＭＳＩを各ＢＳＣＤＯに通知し、ＩＭＳＩが示す端末についてのログ出力を開始させる。また、ユーザ指示処理部４０１から通知されたログ出力終了指示を各ＢＳＣＤＯに通知しログ出力を終了させる。また、各ＢＳＣＤＯ、各ＢＴＳから受信したログをログ収集サーバログ処理部４０３のログ収集サーバログ格納領域４０４に格納する機能を有する。
ログ収集サーバログ処理部４０３はログ収集サーバログ格納領域４０４を有し、装置指示処理部４０２が各ＢＳＣＤＯ及び各ＢＴＳから受信したログをログ収集サーバログ格納領域４０４に格納し、格納した時点で、ログが格納された順番を保持し、各ＢＳＣＤＯ、または各ＢＴＳのログを時系列に整理する機能を有する。ユーザ指示処理部４０１がログ収集サーバログ格納領域４０４からログを取り出す時には、ログは時系列に整理されている。
【００１４】
図１５に、ログ収集サーバ３０１のハードウェア概念図を示す。
ログ収集サーバ３０１は、ＣＰＵ１５０１、メモリ１５０２、Ｅｔｈｅｒインターフェイス１５０４を有する。上述のユーザ指示処理部４０１、装置指示処理部４０２、ログ収集サーバログ処理部４０３等に相当する。機能モジュールはメモリ１５０２上に存在し、実際の処理はＣＰＵ１５０１上で行われる。メモリ１５０２上にはログ格納領域１５０３（上述の４０４に相当）が存在する。また、ユーザクライアントＰＣ７０１、ＢＳＣＤＯ１０３、ＢＴＳ１０５との情報の送受信は、Ｅｔｈｅｒインターフェイス１５０４を介して行われる。
また、本実施の形態において、ＲＡＮ１１１を構成するＢＳＣＤＯ１  １０３、ＢＴＳ１−１  １０５が必要とする機能を以下に示す。図５に、ＢＳＣＤＯ１  １０３の詳細ブロック構成図を示す。
ＢＳＣＤＯ１  １０３は、ＢＳＣＤＯ呼処理部５０１、端末認証部５０２、ＢＳＣＤＯ呼情報管理部５０３、サーバ処理指示部５０４及びＢＳＣＤＯログ処理部５０５を有する。なお、他のＢＳＣＤＯ２  １０４の構成も同様である。ＢＳＣＤＯ呼処理部５０１は、ＢＴＳ１−１  １０５、隣接ＢＳＣＤＯ２  １０４、ＰＤＳＮ１０２とのインターフェイスを持ち、ＡＴ１１０から接続指示があった場合に、ＢＴＳ１−１  １０５またはＰＤＳＮ１０２とのシグナリング送受信を行い、呼状態をデータ送受信可能状態（以降Ａｃｔｉｖｅ状態と呼ぶ）へ遷移させる。また、Ａｃｔｉｖｅ状態での、ＡＴ１１０、ＰＤＳＮ１０２から送信されるユーザデータの送受信を行う。また、隣接ＢＳＣＤＯ２  １０４とのシグナリングの送受信を行い、ＢＳＣＤＯ間でＩＭＳＩを含む呼情報を転送するハンドオフ処理を行う。また、ＡＴ１１０のセッション解放、またはハンドオフにより隣接ＢＳＣＤＯ２  １０４に呼情報を転送した時点で、ＢＳＣＤＯ呼処理管理部５０３に呼情報の解放を指示するなど、一般的な呼処理機能を有する。
【００１５】
端末認証部５０２はＡＮ−ＡＡＡ１０９とのインターフェイスを持ち、ＡＴ１１０から接続指示があり、ＢＳＣＤＯ呼処理部５０１より端末認証指示があった場合に、ＡＴ１１０の端末認証要求をＡＮ−ＡＡＡ１０９に送信する。またＡＮ−ＡＡＡ１０９からＡＴ１１０の端末認証応答を受信し、端末認証応答に含まれる端末固有の識別子であるＩＭＳＩを取得し、ＢＳＣＤＯ呼情報管理部５０３のＢＳＣＤＯ呼情報格納領域５０６にＵＡＴＩ、ＢＴＳ呼識別子と関連付けてＩＭＳＩを格納する。また、サーバ処理指示部５０４より通知されたログ出力対象ＩＭＳＩを保持する。また、新規接続時にはログ出力対象ＩＭＳＩとＡＴ１１０の端末認証応答に含まれるＩＭＳＩが一致するかどうかを確認する。またハンドオフ接続時にはログ出力対象ＩＭＳＩとハンドオフ接続したＡＴ１１０のＩＭＳＩをＢＳＣＤＯ呼情報管理部５０３から取得し一致するかどうかを確認する。一致した場合はサーバ指示処理部５０４を通じて、ＢＳＣＤＯログ処理部５０５にログ出力開始指示を通知する。また、サーバ指示処理部５０４にＢＴＳ呼識別子を通知しＢＴＳ１−１  １０５へのログ出力開始を指示させる。また、サーバ処理指示部５０４からログ出力終了ＩＭＳＩを受信した場合は、ＢＳＣＤＯ呼情報格納領域５０６を検索する。検索されたＵＡＴＩがログ出力呼であった場合はサーバ処理指示部５０４を通じてログ出力終了をＢＳＣＤＯログ処理部５０５に通知する。また、サーバ処理指示部５０４にＢＴＳ呼識別子を通知し、ＢＴＳ１−１  １０５にログ出力終了を指示させる。
ＢＳＣＤＯ呼情報管理部５０３はＢＳＣＤＯ呼情報格納領域５０６を有する。ＢＳＣＤＯ呼情報格納領域５０６に格納されるテーブル構成例を図中に示す。ＢＳＣＤＯ呼情報格納領域５０６は、例えば、ＲＡＮ１１１がＡＴ１１０に割り当てるＵＡＴＩ５０８に関連付けて、ＩＭＳＩ５０９、ＢＴＳ呼識別子５１０、ログ出力状況５１１、その他の呼情報５１２を保持する。ＢＳＣＤＯ呼情報格納領域５０６の各情報は、例えば呼接続の際に取得され、記憶される。また、ＢＳＣＤＯ呼情報管理部５０３は、呼情報解放時に解放対象がログ出力呼であった場合は、サーバ処理指示部５０４を通じてＢＳＣＤＯログ処理部５０５にログ出力終了を通知し、また、サーバ処理指示部５０４にＢＴＳ呼識別子を通知し、ＢＴＳ１−１  １０５にログ出力終了を指示させる。また、ＢＳＣＤＯ呼処理部５０１の指示によりＢＴＳ間ハンドオフでＢＴＳ呼識別子が書き換えられた時は、書き換え前のＢＴＳ呼識別子のＢＴＳに対してはログ出力終了指示、書き換え後のＢＴＳ呼識別子のＢＴＳに対してはログ出力開始指示をサーバ指示処理部５０４に通知し、ＢＴＳ１に指示させる。
サーバ指示処理部５０４は、ログ収集サーバ３０１、ＢＴＳ１−１  １０５とのインターフェイスを持ち、ログ収集サーバ３０１からログ出力開始ＩＭＳＩを受信し、端末認証部５０２に通知する。また、端末認証部５０２からログ出力開始を指示された場合はＢＳＣＤＯログ処理部５０５に該当ＡＴのログ出力を通知し、ＢＴＳ１−１  １０５でのログ出力開始を指示された場合は、ＢＳＣＤＯ呼情報格納領域５０６よりＢＴＳ呼識別子を取得し、ＢＴＳ１−１  １０５にログ出力開始を通知する。また、ログ収集サーバ３０１からログ出力終了指示を受信し、端末認証部５０２にログ出力終了ＩＭＳＩを通知する。また、端末認証部５０２からログ収集サーバ３０１契機のログ出力終了指示を受信した場合、またＢＳＣＤＯ呼情報管理部５０３から呼情報解放によるログ出力終了指示を受信した場合もＢＳＣＤＯログ処理部５０５にログ出力終了を通知する。また、ＢＳＣＤＯ呼処理管理部５０６からハンドオフでのＢＴＳ呼識別子の書き換えによるログ出力開始、終了指示を受けた場合は、各々のＢＴＳ１にログ出力開始、ログ出力終了を通知する。また、ログ出力終了を契機に、ＢＳＣＤＯログ格納領域５０７からログを取得し、ログ収集サーバ３０１にログを送信する。
ＢＳＣＤＯログ処理部５０５はＢＳＣＤＯログ格納領域５０７を有し、端末認証部５０２からサーバ指示処理部５０４を通じてログ出力開始を指示された場合は、該当ＩＭＳＩ呼のログを出力する。また、端末認証部５０２、またはＢＳＣＤＯ呼情報管理部５０３からサーバ指示処理部５０４を通じてログ出力終了を指示された場合は該当ＩＭＳＩ呼のログ出力を終了する。
【００１６】
図１６に、ＢＳＣＤＯ１０３のハードウェア概念図を示す。
ＢＳＣＤＯ１０３は、ＣＰＵ１６０１、メモリ１６０２、Ｅｔｈｅｒインターフェイス１６０５を有する。上述のＢＳＣＤＯ１０３の各処理部、認証部、管理部に相当する機能モジュールはメモリ１６０２上に存在し、実際の処理はＣＰＵ１６０１上で行われる。メモリ１６０２上には、ログ出力ＩＭＳＩ保持領域（ログ出力対象格納領域）１６０６、ログ格納領域１５０３（上述の５０７に相当）、呼情報格納領域１５０４（上述の５０６に相当）が存在する。また、ログ収集サーバ３０１、ＡＮＡＡＡ１０９、ユーザクライアントＰＣ７０１、隣接するＢＳＣＤＯ１０４、ＢＴＳ１０５等との情報の送受信は、Ｅｔｈｅｒインターフェイス１６０５を介して行われる。
図６に、ＢＴＳ１−１  １０５の詳細ブロック構成図を示す。
ＢＴＳ１−１  １０５は電波送波部６０１、ＢＴＳ呼処理部６０２、ＢＴＳ呼情報管理部６０３、ＢＳＣＤＯ指示処理部６０４、ＢＴＳログ出力部６０５を有する。なお、他のＢＴＳの構成も同様である。
電波送波部６０１は、ＡＴ１１０との無線インターフェイスを持ち、ＢＴＳ呼処理部６０２から通知されたシグナリング、ユーザデータを無線に乗せて、ＡＴ１１０に送信する。また、ＡＴ１１０から無線を通じて受信したシグナリング、ユーザデータをＢＴＳ呼処理部６０２に通知するなど、一般的な無線機能を有する。ＢＴＳ呼処理部６０２は、ＢＳＣＤＯ１  １０３、隣接ＢＴＳ１−２  １０６とのインターフェイスを持ち、電波送波部６０１が受信したＡＴ１１０からのシグナリング及び、ユーザデータをＢＳＣＤＯ１  １０３に送信する。また、ＢＳＣＤＯ１  １０３よりシグナリングにより呼解放指示があった場合は、ＢＴＳ呼情報管理部６０３に呼情報の解放を通知するなど、一般的な呼処理機能を有する。
ＢＴＳ呼情報管理部６０３はＢＴＳ呼情報格納領域６０６を有する。ＢＴＳ呼情報格納領域６０６に格納されるテーブル構成例を図中に示す。ＢＴＳ呼情報格納領域６０６は、例えば、ＢＴＳ１−１  １０５でのＢＴＳ呼識別子６０８、ログ出力状況６０９、その他の呼情報６１０を保持している。ＢＴＳ呼識別子、呼情報は、例えば呼接続の際に取得され、記憶される。ＢＳＣＤＯ指示処理部６０４は、ログ収集サーバ３０１、ＢＳＣＤＯ１  １０３とのインターフェイスを持ち、ＢＳＣＤＯ１  １０３からログ出力開始のＢＴＳ呼識別子を受信した場合に、ＢＴＳ呼情報管理部６０３に問い合わせ、該当のＢＴＳ呼識別子が存在していた場合は、ＢＴＳログ処理部に該当ＢＴＳ呼のログ出力を指示する。また、ＢＳＣＤＯ１  １０３よりログ出力中のＢＴＳ呼識別子のログ出力終了指示を受信した場合は、ＢＴＳ呼情報管理部６０３に問い合わせ、該当ＢＴＳ呼がログ出力中の場合に、ＢＴＳログ処理部６０５にログ出力終了を通知する。また、ＢＴＳ呼情報管理部６０３よりログ出力中ＢＴＳ呼識別子の呼解放によるログ出力終了を指示された場合も、ＢＴＳログ処理部６０５にログ出力終了を通知する。
ＢＴＳログ処理部６０５は、ＢＴＳログ格納領域６０７を有し、ＢＳＣＤＯ指示処理部６０４からログ出力開始を指示された場合は、該当ＢＴＳ呼のログ出力を開始する。また、ＢＳＣＤＯ指示処理部６０４からログ出力終了を指示された場合は、該当ＢＴＳ呼のログ出力を終了する。
【００１７】
図１７に、ＢＴＳ１０５のハードウェア概念図を示す。
ＢＴＳ１０５は、ＣＰＵ１７０１、メモリ１７０２、電波送波装置１７０５、Ｅｔｈｅｒインターフェイス１７０７を有する。例えば、上述のＢＴＳ呼情報管理部６０３、ＢＳＣＤＯ指示処理部６０４、ＢＴＳログ処理部６０５等に相当する。機能モジュールはメモリ１７０２上に存在し、実際の処理はＣＰＵ１７０１上で行われる。ＢＴＳ呼処理部６０２についても同様にできる。メモリ１７０２上には、ログ格納領域（上述の６０７に相当）１７０３、呼情報格納領域（上述の６０６に相当）１７０４が存在する。電波送波装置１７０５は、アンテナ１７０６を介して、無線を送波する。また、ログ収集サーバ３０１、ＢＳＣＤＯ１０３、隣接するＢＴＳ１０６との情報の送受信は、Ｅｔｈｅｒインターフェイスを介して行われる。
次に図７を用いて、ユーザから指定されたＩＭＳＩの端末がＲＡＮ１１１に存在しない場合のＩＭＳＩ設定シーケンスを示す。ｓｔｅｐ：ａ７０２にて、ユーザクライアントＰＣ７０１よりログ収集サーバ３０１に、ログ出力（ログ収集）を実施したいログ出力対象のＩＭＳＩ：ａａａが通知される。ログ収集サーバ３０１はユーザ指示処理部４０１にてＩＭＳＩ：ａａａの受信を契機に、ｓｔｅｐ：ｂ７０３、ｓｔｅｐ：ｃ７０４にて、装置指示処理部４０２を通じてＲＡＮ配下すべてのＢＳＣＤＯに、ログ出力開始指示として、ログ出力対象ＩＭＳＩ：ａａａを通知する。ＢＳＣＤＯ１  １０３、ＢＳＣＤＯ２  １０４では、サーバ指示処理部５０４でＩＭＳＩ：ａａａを受信し、端末認証部５０２にＩＭＳＩ：ａａａを通知する。端末認証部５０２ではログ出力対象ＩＭＳＩ：ａａａを保持し、ＢＳＣＤＯ呼情報格納領域５０６にＩＭＳＩ：ａａａが格納されていないかを検索する。しかし、ここではＡＴ１１０は接続していないためＢＳＣＤＯ呼情報格納領域５０６内にＩＭＳＩ：ａａａが見つからずに端末認証部５０２は処理を終了する。
【００１８】
次に図８を用いて、ログ出力対象ＩＭＳＩ：ａａａを保持した状態で、ログ出力対象ＡＴ１１０が呼接続し、ログ出力を開始するシーケンスを示す。一般的な呼接続としては、図２を用いて上述した通りである。
ｓｔｅｐ：ａ８０１にてＡＴ１１０から呼接続があり、ＢＴＳ１−１  １０５を通じて、ＢＳＣＤＯ１  １０３は、接続要求を受信する。ＡＴ１１０から送信される接続要求は、例えばＵＡＴＩを含む。ＵＡＴＩは、ＢＳＣＤＯ１  １０３により予め割り当てられている。この時、ＢＴＳ１−１  １０５では、ＢＴＳ１−１  １０５として呼を識別するＢＴＳ呼識別子：Ｉを割り当て、接続処理と同時にＢＳＣＤＯ１  １０３に通知する。ＢＳＣＤＯ１  １０３はＢＴＳ呼識別子：ＩをＲＡＮ１１１で割り当てるＵＡＴＩ：Ａと関連付けて、ＢＳＣＤＯ呼情報格納領域５０６に格納する。ＢＳＣＤＯ１  １０３は新規呼接続処理として、ｓｔｅｐ：ｃ８０３にてＡＮ−ＡＡＡ１０９にＡＴ１１０の端末認証を要求する。ＡＮ−ＡＡＡ１０９にて認証完了後、ｓｔｅｐ：ｄ８０４にて端末認証応答８１５を受信する。端末認証応答８１５にはＡＴ１１０のＩＭＳＩが含まれているので、ＢＳＣＤＯ１  １０３ではＵＡＴＩ：Ａに関連付けてＢＳＣＤＯ呼情報格納領域５０６に格納する。ここで端末認証部５０２にはログ出力対象ＩＭＳＩ：ａａａを保持しているので、端末認証部５０２にて、格納されたログ出力対象ＩＭＳＩと端末認証応答８１５で受信したＩＭＳＩを比較する。一致しなければ端末認証部５０２は何もせずに処理が終了するが、端末認証応答８１５でＩＭＳＩ：ａａａを受信したため、ログ出力対象ＩＭＳＩと一致する。ＢＳＣＤＯ１  １０３はログ出力対象ＩＭＳＩと端末認証応答８１５で受信したＩＭＳＩが一致したため、ｓｔｅｐ：ｉ８０９にて端末認証部５０２が、サーバ指示処理部５０４を通じて、ＢＳＣＤＯログ処理部５０５にＩＭＳＩ：ａａａのログ出力開始を指示する。以降、ＢＳＣＤＯログ処理部５０５はＩＭＳＩ：ａａａのＡＴのログをＢＳＣＤＯログ格納領域５０７に出力・格納する。また、ＢＳＣＤＯ呼情報格納領域５０３は、ＢＳＣＤＯ呼情報格納領域５０６のＩＭＳＩ：ａａａに対応するログ出力５１１をＯＮに設定する。またｓｔｅｐ：ｈ８０８にてサーバ指示処理部５０４を通じて、ＢＴＳ１−１  １０５にＢＴＳ呼識別子：Ｉのログ出力開始を指示する。
【００１９】
ＢＴＳ１−１  １０５では、ＢＳＣＤＯ指示処理部６０４にてＢＴＳ呼識別子：Ｉのログ出力開始指示を受信し、ＢＴＳ呼情報格納領域６０６にＢＴＳ呼識別子：Ｉが存在することを確認して、ＢＴＳログ処理部６０５にＢＴＳ呼識別子：Ｉのログ出力を指示する。ｓｔｅｐ：ｉ８０９にてＢＴＳ１−１  １０５でＢＴＳ呼識別子：Ｉのログ出力が開始される。また、ＢＴＳ呼情報管理部６０３は、ＢＴＳ呼情報格納領域６０６のＢＴＳ呼識別子：Ｉに対応するログ出力６０９をＯＮに設定する。
ここで、ログが出力される例として、図９にＵＡＴＩ：Ａ（ＩＭＳＩ：ａａａ）のみログが出力される様子を、本実施の形態の実施前のログ９０１と本実施の形態の実施後のログ９０２を比較して示す。実施前のログ９０１では、装置に存在する全てのＵＡＴＩの動作がログに出力されるが、実施後のログ９０２では、ログ出力対象のＵＡＴＩ：Ａ（ＩＭＳＩ：ａａａ）の動作ログのみ抜粋して出力されることになり、ＢＳＣＤＯログ格納領域５０７に格納するログの量も少なくすることができる。
【００２０】
次に図１０を用いて、ＡＴ１１０がＲＡＮ１１１配下に存在する場合のＩＭＳＩ設定シーケンスを示す。一般的な呼接続としては、図２を用いて上述した通りである。
ｓｔｅｐ：ａ１００１にてＡＴ１１０のＡｃｔｉｖｅ遷移完了後、ＢＳＣＤＯ１  １０３にはＢＴＳ呼識別子：Ｉ、ＩＭＳＩ：ａａａがＵＡＴＩ：Ａに関連付けられてＢＳＣＤＯ呼情報格納領域５０３に格納されている。なお、ここではログ出力５１１はＯＦＦである。
ｓｔｅｐ：ｄ１００４にてユーザクライアントＰＣ７０１よりログ収集サーバ３０１に、ログ出力を実施したいＩＭＳＩ：ａａａが設定される。ログ収集サーバ３０１はユーザ指示処理部４０１にてＩＭＳＩ：ａａａの受信を契機に、ｓｔｅｐ：ｅ１００５、ｓｔｅｐ：ｇ１００７にて、装置指示処理部４０２を通じてＲＡＮ１１１配下すべてのＢＳＣＤＯに、ログ出力開始指示として、ログ出力対象ＩＭＳＩ：ａａａを通知する。ＢＳＣＤＯ２  １０４ではサーバ指示処理部５０４でＩＭＳＩ：ａａａを受信し、端末認証部５０２にＩＭＳＩ：ａａａを通知するが、ＩＭＳＩ：ａａａがＢＳＣＤＯ呼情報格納領域５０６に存在しないため、端末認証部５０２にログ出力対象ＩＭＳＩ：ａａａを保持し処理を終了する。
ＢＳＣＤＯ１  １０３でもサーバ指示処理部５０４でＩＭＳＩ：ａａａを受信し、サーバ指示処理部５０４から端末認証部５０２にＩＭＳＩ：ａａａが通知され、ＩＭＳＩ：ａａａを保持する。また、ＢＳＣＤＯ呼情報格納領域５０６にＩＭＳＩ：ａａａが存在するか検索する。検索の結果、ＵＡＴＩ：Ａに関連付けられたＩＭＳＩ：ａａａが見つかるため、端末認証部５０２はｓｔｅｐ：ｈ１００８にてサーバ指示処理部５０４を通じて、ＢＴＳ１−１  １０５に、ＩＭＳＩ：ａａａに対応するＢＴＳ呼識別子：Ｉのログ出力開始を指示する。またＢＳＣＤＯ１  １０３では端末認証部５０２がｓｔｅｐ：ｉ１００９にてサーバ指示処理部５０４を通じて、ＢＳＣＤＯログ処理部５０５にＩＭＳＩ：ａａａのログ出力開始を指示し、ログ出力を開始する。ＢＴＳ１−１  １０３ではＢＴＳ呼識別子：Ｉのログ出力開始指示をＢＳＣＤＯ指示処理部６０４で受信し、ＢＳＣＤＯ指示処理部６０４でＢＴＳ呼情報格納領域６０６にＢＴＳ呼識別子：Ｉが存在することを確認して、ＢＴＳログ処理部６０５にＢＴＳ呼識別子：Ｉのログ出力開始を指示し、ログ出力を開始する。
次に図１１を用いて、ＡＴ１１０のセッション解放によるログ出力終了シーケンスを示す。
ｓｔｅｐ：ａ１１０１にてＡＴ１１０は呼接続を完了し、ＢＳＣＤＯ１  １０３、ＢＴＳ１−１  １０５配下にＡｃｔｉｖｅ状態で存在する。ＢＳＣＤＯ１  １０３にはＢＴＳ呼識別子：Ｉ、ＩＭＳＩ：ａａａがＵＡＴＩ：Ａに関連付けられてＢＳＣＤＯ呼情報格納領域５０６に格納されている。また、ＢＳＣＤＯ１  １０３、ＢＴＳ１−１  １０５にてＩＭＳＩ：ａａａのログ出力が実施されている。
この状況でｓｔｅｐ：ｅ１１０５にてＡＴ１１０よりセッション解放要求があり、ＢＴＳ１−１  １０５を通じて、ＢＳＣＤＯ１  １０３がセッション解放要求を受信する。ＢＳＣＤＯ１  １０３ではセッション解放処理を実施し、ＢＳＣＤＯ呼情報格納領域５０６のＵＡＴＩ：Ａの情報を解放する。ＢＳＣＤＯ呼情報格納領域５０６ではログ出力呼であるかどうかもＵＡＴＩ：Ａと関連付けられて格納されているため、ログ出力呼であった場合（ログ出力５１１がＯＮの場合）は呼情報解放を契機に、ｓｔｅｐ：ｈ１１０８にてＢＳＣＤＯ呼情報管理部５０３からサーバ処理指示部５０４を通してＢＳＣＤＯログ出力部５０５にＩＭＳＩ：ａａａのログ出力終了を指示し、ログ出力を終了する。
また、ＢＳＣＤＯ呼情報管理部５０３からサーバ処理指示部５０４にＢＴＳ呼識別子：Ｉを通知し、ｓｔｅｐ：ｇ１１０７にてサーバ指示処理部５０４からＢＴＳ１−１  １０５にログ出力終了を指示させる。ＢＴＳ１−１  １０５では、ＢＳＣＤＯ処理指示部６０４がログ出力終了指示を受信し、ＢＴＳ呼情報格納領域６０６のＢＴＳ呼識別子：Ｉのログ出力呼であることを確認して、ＢＴＳログ処理部６０５にログ終了を指示し、ログ出力を終了する。ＢＴＳ１−１  １０５ではＢＳＣＤＯ指示処理部６０４がログ出力終了を契機に、ｓｔｅｐ：ｊ１１１０にてＢＴＳログ格納領域６０７からログ収集サーバ３０１にＩＭＳＩ：ａａａのログを送信する。また、ＢＳＣＤＯ１  １０３では、サーバ指示処理部５０４がログ出力終了を契機に、ｓｔｅｐ：ｋ１１１１にてＢＳＣＤＯログ格納領域５０７からログ収集サーバ３０１にＩＭＳＩ：ａａａのログを送信する。ログ収集サーバ３０１では、ｓｔｅｐ：ｌ１１１２にて、各ＢＳＣＤＯ、ＢＴＳからＩＭＳＩ：ａａａのログを受信時に時系列に整理して格納する。
【００２１】
次に図１２を用いて、ＡＴ１１０のログ出力中にログ収集サーバ３０１によるログ出力終了シーケンスを示す。
ｓｔｅｐ：ａ１２０１にてＡＴ１１０は呼接続が完了し、ＢＳＣＤＯ１  １０３、ＢＴＳ１−１  １０５配下にＡｃｔｉｖｅ状態で存在する。ＢＳＣＤＯ１  １０３にはＢＴＳ呼識別子：Ｉ、ＩＭＳＩ：ａａａがＵＡＴＩ：Ａに関連付けられてＢＳＣＤＯ呼情報格納領域５０６に格納されている。また、ＢＳＣＤＯ１  １０３、ＢＴＳ１−１  １０５にてＩＭＳＩ：ａａａのログ出力が実施されている。
この状況でｓｔｅｐ：ｄ１２０４にて、ユーザクライアントＰＣ７０１はログ収集サーバ３０１にＩＭＳＩ：ａａａのログ出力終了指示を送信する。ログ収集サーバ３０１は、ユーザ指示処理部４０１でログ出力終了指示の受信を契機に、ｓｔｅｐ：ｅ１２０５、ｓｔｅｐ：ｆ１２０６にて装置指示処理部４０２を通じてＲＡＮ１１１配下すべてのＢＳＣＤＯにＩＭＳＩ：ａａａのログ出力終了指示を通知する。ＢＳＣＤＯ２  ７０３では、サーバ指示処理部５０４でＩＭＳＩ：ａａａのログ出力終了指示を受信し、端末認証部５０２に通知する。端末認証部５０２ではＢＳＣＤＯ呼制御格納領域５０６を検索するがＩＭＳＩ：ａａａが存在しないためログ終了処理は実施しないが、端末認証部５０２に保持されているログ出力対象ＩＭＳＩ：ａａａを削除する。ＢＳＣＤＯ１  １０３でも同様に、サーバ指示処理部５０４でＩＭＳＩ：ａａａのログ出力終了指示を受信し、端末認証部５０２に通知する。端末認証部５０２にてＢＳＣＤＯ呼情報格納領域５０６にＩＭＳＩ：ａａａが存在するか検索を行い、ＵＡＴＩ：Ａに関するエントリが検索される。ＵＡＴＩ：Ａはログ出力５１１からログ出力呼であることが分かるため、端末認証部５０２はサーバ指示処理部５０４を通じて、ｓｔｅｐ：ｈ１２０８にてＢＳＣＤＯログ処理部５０５にログ出力終了を指示し、ＢＳＣＤＯログ処理部５０５はＩＭＳＩ：ａａａのログ出力を終了する。また、端末認証部５０２はサーバ処理指示部５０４にＵＡＴＩ：Ａと関係づけられて格納されていたＢＴＳ呼識別子：Ｉを通知し、ｓｔｅｐ：ｇ１２０７にてＢＴＳ１−１  １０５にログ出力終了を指示させる。また、端末認証部５０２に保持されているログ出力対象ＩＭＳＩ：ａａａを削除する。
ＢＴＳ１−１  １０５ではＢＳＣＤＯ指示処理部６０４にてＢＴＳ呼識別子：Ｉのログ出力終了指示を受信する。ＢＳＣＤＯ指示処理部６０４では、ＢＴＳ呼情報格納領域６０６にＢＴＳ呼識別子：Ｉがログ出力呼であることを確認し、ＢＴＳログ処理部６０５にログ出力終了を指示し、ｓｔｅｐ：ｈ１２０８にてＢＴＳログ処理部６０５はＩＭＳＩ：ａａａのログ出力を終了する。
【００２２】
また、ログ出力終了を契機にｓｔｅｐ：ｊ１２１０にて、ＢＴＳ１−１  １０５ではＢＳＣＤＯ指示処理部６０４がＢＴＳログ格納領域６０７からログ収集サーバ３０１に、ＩＭＳＩ：ａａａのログを送信する。また、ｓｔｅｐ：ｋ１２１１にて、ＢＳＣＤＯ１  １０３ではサーバ指示処理部５０４がＢＳＣＤＯログ格納領域５０７からログ収集サーバ３０１にＩＭＳＩ：ａａａのログを送信する。但し、セッションは解放しないため、ＡＴ１１０はＡｃｔｉｖｅ状態を維持する。ログ収集サーバ３０１では、ｓｔｅｐ：ｌ１２１２にて、各ＢＳＣＤＯ、ＢＴＳから受信したログを受信時に時系列に整理して格納する。
ｓｔｅｐ：ｎ１２１４にて、ユーザクライアントＰＣ７０１は出力したログの送信要求指示をログ収集サーバ３０１に送信する。ログ収集サーバ３０１では、ユーザ指示処理部４０１でログ送信要求指示を受信し、ログ収集サーバログ格納領域４０４にＩＭＳＩ：ａａａのログがあることを確認する。ログ収集サーバログ格納領域４０４には各ＢＳＣＤＯ、ＢＴＳから受信したＩＭＳＩ：ａａａのログが時系列に整理されているので、ｓｔｅｐ：ｏ１２１５にて、ユーザ指示処理部４０１が纏めたログをユーザクライアントＰＣ７０１に送信する。なお、ｓｔｅｐ：ｎ１２１４〜ｏ１２１６の処理は、図１１のシーケンスにおいても実行されることができる。
【００２３】
（ＢＴＳ間でのハンドオフ時）
次に図１３を用いて、ＡＴ１１０がＢＴＳ間をハンドオフし、接続状態が変化した場合でもログ出力を継続させるシーケンスを示す。
ｓｔｅｐ：ａ１３０１にてＡＴ１１０は呼接続を完了し、ＢＳＣＤＯ１  １０３、ＢＴＳ１−１  １０５配下にＡｃｔｉｖｅ状態で存在する。ＢＳＣＤＯ１  １０３にはＢＴＳ呼識別子：Ｉ、ＩＭＳＩ：ａａａがＵＡＴＩ：Ａに関連付けられてＢＳＣＤＯ呼情報格納領域５０６に格納されている。また、ＢＳＣＤＯ１  １０３、ＢＴＳ１−１  １０５にてＩＭＳＩ：ａａａのログ出力が実施されている。
この状況で、ｓｔｅｐ：ｅ１３０５にてＡＴ１１０がＢＴＳ１−２  １０６配下にハンドオフする。この接続で、ＡＴ１１０はＢＴＳ１−２  １０６にて新たにＢＴＳ呼識別子として例えばＩＩＩが割り当てられる。ＢＴＳ１−２  １０６は、割り当てたＢＴＳ呼識別子：ＩＩＩと呼情報を対応して呼情報格納領域６０６に記憶する。また、ＢＴＳ１−２  １０６は、適宜のタイミングで割り当てたＢＴＳ呼識別子：ＩＩＩをＢＳＣＤＯ１  １０３に通知する。また、ＢＴＳ１−１  １０５のＢＴＳ呼識別子：ＩはＢＴＳ１−１  １０５で解放される。これにより、ＢＳＣＤＯ１  １０３のＢＳＣＤＯ呼処理部５０１からＢＳＣＤＯ呼情報格納領域５０６で管理されているＵＡＴＩ：Ａに関連付けられているＢＴＳ呼識別子をＩからＩＩＩに書き換えが指示される。ＢＳＣＤＯ１  １０３のＢＳＣＤＯ呼情報管理部５０３では、ＢＴＳ呼識別子を書き換え、この書き換えを契機に、ｓｔｅｐ：ｆ１３０６にて書き換え前のＢＴＳ呼識別子：Ｉに対応するＢＴＳ１−１  １０５にサーバ指示処理部５０４を通じてログ出力終了を指示し、またｓｔｅｐ：ｇ１３０７にて書き換え後のＢＴＳ呼識別子：ＩＩＩに対応するＢＴＳ１−２  １０６にサーバ指示処理部５０４を通じてログ出力開始を指示する。
ＢＴＳ１−１  １０５ではＢＳＣＤＯ指示処理部６０４でＢＴＳ呼識別子：Ｉのログ出力終了を受信したので、ＢＳＣＤＯ指示処理部６０４では、ＢＴＳ呼情報格納領域６０６にＢＴＳ呼識別子：Ｉが存在し、かつログ出力呼であることを確認して、ＢＴＳログ処理部６０５にＩＭＳＩ：ａａａのログ出力を終了させる。また、例えば、ログ出力終了を契機にｓｔｅｐ：ｉ１３０９にてＢＳＣＤＯ指示処理部６０４はＢＴＳログ格納領域６０７からログ収集サーバ３０１にＩＭＳＩ：ａａａのログを送信する。
ＢＴＳ１−２  １０６ではＢＳＣＤＯ指示処理部６０４でＢＴＳ呼識別子：ＩＩＩのログ出力開始を受信したので、ＢＴＳ呼情報格納領域６０６にＢＴＳ呼識別子：ＩＩＩが存在することを確認し、ＢＴＳログ処理部６０５にＩＭＳＩ：ａａａのログ出力を開始させる。また、ＢＴＳ１−２  １０６は、ＢＴＳ呼情報格納領域６０６のＢＴＳ識別子：ＩＩＩに対応するログ出力６０９をＯＮに設定する。ＢＳＣＤＯ１  １０３に関しては、ＡＴ１１０のＢＴＳ間ハンドオフに関わらず、ＩＭＳＩ：ａａａのログは出力され続けている。これによりＢＳＣＤＯ１  １０３、ＢＴＳ１−１  １０５で出力されていたログが、ＢＴＳ間ハンドオフを実施しても、ＢＳＣＤＯ１  １０３、ＢＴＳ１−２  １０６にて継続してログを出力することができる。
【００２４】
（ＢＳＣＤＯ間でのハンドオフ時）
次に図１４を用いて、ＡＴ１１０がＢＳＣＤＯ間をハンドオフし、呼情報が移動した場合でもログ出力を継続させるシーケンスを示す。
ｓｔｅｐ：ａ１４０１にてＡＴ１１０は呼接続を完了し、ＢＳＣＤＯ１  １０３、ＢＴＳ１−１  １０５配下にＡｃｔｉｖｅ状態で存在する。ＢＳＣＤＯ１  １０３にはＢＴＳ呼識別子：Ｉ、ＩＭＳＩ：ａａａがＵＡＴＩ：Ａに関連付けられてＢＳＣＤＯ呼情報格納領域５０６に格納されている。また、ＢＳＣＤＯ１  １０３、ＢＴＳ１−１  １０５にてＩＭＳＩ：ａａａのログ出力が実施されている。
この状況で、ｓｔｅｐ：ｅ１４０５にてＡＴ１１０がＢＳＣＤＯ２  １０４配下のＢＴＳ２−１  １０７配下にハンドオフする。このハンドオフ接続により、ｓｔｅｐ：ｆ１４０６にてＢＳＣＤＯ１  １０３からＢＳＣＤＯ２  １０４に、ＩＭＳＩ：ａａａを含むＡＴ１１０の呼情報が転送される。ＢＳＣＤＯ１  １０３、ＢＴＳ１−１  １０５ではハンドオフを契機にＢＳＣＤＯ１  １０３のＢＳＣＤＯ呼処理部５０１からＢＳＣＤＯ呼情報管理部５０３に呼情報の解放が指示され、ＢＳＣＤＯ呼情報格納領域５０６のＵＡＴＩ：Ａの情報を解放する。ＢＳＣＤＯ呼情報格納領域５０６ではログ出力呼であるかどうかがＵＡＴＩと関連付けられて格納されているため、解放されるＵＡＴＩ：Ａがログ出力呼であることが分かり、ＵＡＴＩ：Ａの呼情報解放を契機に、ｓｔｅｐ：ｈ１４０８にてＢＳＣＤＯ呼情報管理部５０３からサーバ処理指示部５０４を通してＢＳＣＤＯログ出力部５０５にログ出力終了を指示する。同時にＢＴＳ呼識別子もＵＡＴＩと関連付けてＢＳＣＤＯ呼情報格納領域５０６に格納されているため、ＵＡＴＩ：Ａの呼情報解放を契機に、ＢＳＣＤＯ呼情報管理部５０３からサーバ指示処理部５０４にＢＴＳ呼識別子：Ｉを通知し、ｓｔｅｐ：ｇ１４０７にてサーバ指示処理部５０４からＢＴＳ１−１  １０５にログ出力終了を指示させる。ＢＴＳ１−１  １０５では、ＢＳＣＤＯ処理指示部６０４がログ出力終了指示を受信し、ＢＴＳ呼情報格納領域６０６のＢＴＳ呼識別子：Ｉがログ出力呼であることを確認して、ＢＴＳログ処理部６０５にログ終了を指示する。ＢＴＳ１−１  １０５ではＢＳＣＤＯ指示処理部６０４がログ出力終了を契機に、ｓｔｅｐ：ｉ１４０９にてＢＴＳログ格納領域６０７からログ収集サーバ３０１にＩＭＳＩ：ａａａのログを送信する。また、ＢＳＣＤＯ１  １０３  ではサーバ指示処理部５０４がログ出力終了を契機に、ｓｔｅｐ：ｊ１４１０にてＢＳＣＤＯログ格納領域５０７からログ収集サーバ３０１にＩＭＳＩ：ａａａのログを送信する。
また、ＢＳＣＤＯ２  １０４、ＢＴＳ２−１  １０７ではｓｔｅｐ：ｅ１４０５にてハンドオフ処理を実施するが、ＵＡＴＩはＢＳＣＤＯ単位で割り当てられるため、ＢＳＣＤＯ２  １０４ではＡＴ１１０に対して新たに、例えばＵＡＴＩ：Ｂを割り当て、ＢＴＳ２−１  １０７でもＢＴＳ内での呼接続を管理するため、例えば、ＢＴＳ呼識別子：ＶＩＩを割り当てる。ｓｔｅｐ：ｆ１４０６にて、ＢＳＣＤＯ１  １０３からＡＴ１１０のＩＭＳＩ：ａａａを含む呼情報を引き継ぐため、ＢＳＣＤＯ２  １０４ではＵＡＴＩ：Ｂに関連付けられて、ＢＴＳ呼識別子：ＶＩＩ、ＩＭＳＩ：ａａａとしてＢＳＣＤＯ呼情報格納領域５０６に格納する。ここでＢＳＣＤＯ２  １０４の端末認証部５０２では、例えば図７に示すように、既にログ収集サーバ３０１からログ出力対象ＩＭＳＩ：ａａａが通知され、他のＡＴが呼接続する毎にＩＭＳＩ：ａａａであるかをチェックしている。ｓｔｅｐ：ｆ１４０６でも、ハンドオフ接続によりＩＭＳＩ：ａａａの引き継ぎを契機に、端末認証部５０２にてＢＳＣＤＯ呼制御格納領域５０６に格納されたＵＡＴＩ：ＢのＩＭＳＩと比較する。一致しなければ何もせずに端末認証部５０２での処理が終了するが、ここではＵＡＴＩ：ＢのＩＭＳＩ：ａａａがログ出力対象ＩＭＳＩと一致するため、ｓｔｅｐ：ｊ１４１０にて端末認証部５０２が、サーバ指示処理部５０４を通じてＢＳＣＤＯログ処理部５０５にＩＭＳＩ：ａａａのログ出力開始を指示する。また端末認証部５０２はｓｔｅｐ：ｉ１４０９にてサーバ指示処理部５０４を通じて、ＢＴＳ２−１  １０７にＢＴＳ呼識別子：ＶＩＩのログ出力開始を指示する。
ＢＴＳ２−１  １０７では、ＢＳＣＤＯ指示処理部６０４にてＢＴＳ呼識別子：ＶＩＩのログ出力開始指示を受信し、ＢＴＳ呼情報格納領域６０６にＢＴＳ呼識別子：ＶＩＩが存在することを確認して、ｓｔｅｐ：ｊ１４１０にてＢＴＳログ処理部６０５にＢＴＳ呼識別子：ＶＩＩのログ出力を指示し、ログ出力が開始される。これによりＢＳＣＤＯ１  １０３、ＢＴＳ１−１  １０５で出力されていたログが、ＢＳＣＤＯ間ハンドオフを実施してもＡＴ１１０の移動先であるＢＳＣＤＯ２  １０４、ＢＴＳ２−１  １０７で継続してログを出力することができる。
【産業上の利用可能性】
【００２５】
本発明は、例えば、無線基地局、基地局制御装置から端末のログを収集するシステムに利用可能である。
【符号の説明】
【００２６】
１０１  ＩＰネットワーク
１０２  ＰＤＳＮ
１０３  ＢＳＣＤＯ１
１０４  ＢＳＣＤＯ２
１０５  ＢＴＳ１−１
１０６  ＢＴＳ１−２
１０７  ＢＴＳ２−１
１０８  ＢＴＳ２−２
１０９  ＡＮ−ＡＡＡ
１１０  ＡＴ
３０１  ログ収集サーバ
【図１】
2011119897.tif 000003
【図２】
2011119897.tif 000004
【図３】
2011119897.tif 000005
【図４】
2011119897.tif 000006
【図５】
2011119897.tif 000007
【図６】
2011119897.tif 000008
【図７】
2011119897.tif 000009
【図８】
2011119897.tif 000010
【図９】
2011119897.tif 000011
【図１０】
2011119897.tif 000012
【図１１】
2011119897.tif 000013
【図１２】
2011119897.tif 000014
【図１３】
2011119897.tif 000015
【図１４】
2011119897.tif 000016
【図１５】
2011119897.tif 000017
【図１６】
2011119897.tif 000018
【図１７】
2011119897.tif 000019